(57)【要約】【課題】顧客の生活リズムを考慮して、レシートに印刷される付加メッセージの内容を変更することができるレシート印刷装置及び方法を提供する。【解決手段】予め、記憶部１３に複数の時間帯に関連づけされた複数の掲載メッセージ情報からなる掲載メッセージファイル３１を格納しておく。検索部２３は、制御部が会計処理を終えた後通知してくる現在時刻を検索キーとして、記憶部３１を検索し、現在時刻が含まれる時間帯に関連付けられた掲載メッセージ情報を読み出す。読み出された掲載メッセージ情報の内容がレシートに印刷される。【選択図】図１
2005165484.tif 000002
【特許請求の範囲】
【請求項１】
レシートに付加メッセージを印刷することができるレシート印刷装置において、
複数の時間帯に関連付けられた複数の付加メッセージ情報を記憶する記憶部と、
現在時刻を検索キーとして前記記憶部を検索し、前記複数の時間帯のうち前記現在時刻が含まれる時間帯に関連付けられた付加メッセージ情報を読み出す検索手段と、を備え、
前記検索手段により読み出された付加メッセージ情報が表す内容を前記付加メッセージとして前記レシートに印刷するようにしたことを特徴とするレシート印刷装置。
【請求項２】
前記複数の付加メッセージ情報がさらに顧客属性に関連付けられて前記記憶部に記憶されており、
前記検索手段が、前記現在時刻と前記顧客属性とを検索キーとして前記記憶部を検索するようにしたことを特徴とする請求項１に記載のレシート印刷装置。
【請求項３】
請求項１又は２に記載のレシート印刷装置を備えたＰＯＳ端末。
【請求項４】
請求項１又は２に記載のレシート印刷装置を備えた電子金銭登録機。
【請求項５】
レシートに付加メッセージを印刷するレシート印刷方法において、
予め複数の時間帯に関連付けられた複数の付加メッセージ情報を記憶部に記憶させておき、
所定の処理を行った後に現在時刻を取得し、
取得した現在時刻を検索キーとして前記記憶部を検索して、前記複数の時間帯のうち前記現在時刻が含まれる時間帯に関連付けられた付加メッセージ情報を読み出し、
読み出した付加メッセージ情報が表す内容を前記付加メッセージとして前記レシートに印刷するようにしたことを特徴とするレシート印刷方法。
【請求項６】
前記複数の付加メッセージ情報をさらに顧客属性に関連付けて前記記憶部に記憶させておき、
外部から入力された前記顧客属性と、前記現在時刻とを検索キーとして前記記憶部を検索するようにしたことを特徴とする請求項５に記載のレシート印刷方法。
【発明の詳細な説明】
【技術分野】
【０００１】
本発明は、レシート印刷装置及び方法に関し、特に、時間帯によって異なる内容の印刷が可能なレシート印刷装置及び方法に関する。
【背景技術】
【０００２】
ＰＯＳ端末や電子金銭登録機（ＥＣＲ）は、入力された情報を処理した結果（金銭登録情報）をレシートに印刷（印字）して出力するためのレシート印刷装置を備えている。
【０００３】
従来のレシート印刷装置は、金銭登録情報を印字する際に、それとは別の付加メッセージ（例えば、販売促進メッセージやイメージ（画像）など）を合わせて印刷することができるように構成されている。また、従来のレシート印刷装置は、予め顧客の属性に応じた付加メッセージ情報を複数用意しておき、金銭登録時に入力される顧客の属性に基づいて、用意された複数の付加メッセージ情報の中からその顧客に適した付加メッセージ情報を選択し、それに基づいてレシートに付加メッセージを印刷するようにしている（例えば、特許文献１参照。）。
【特許文献１】特開平６−９６３６７号公報（要約）
【発明の開示】
【発明が解決しようとする課題】
【０００４】
従来のレシート印刷装置では、予め用意した複数の付加メッセージ情報の中から、顧客の属性にのみ基づいて印刷する付加メッセージ情報を選択しているため、属性が共通する（例えば、性別及び年齢層が同一の）顧客に対して発行されたレシートには、同じ付加情報が印刷されることになる。それゆえ、従来のレシート印刷装置には、同じ属性の顧客に対しては、その生活リズム等が全く異なっている場合であっても、同一の付加メッセージしか提供することができないという問題点がある。
【０００５】
そこで、本発明は、顧客の生活リズムを考慮して、レシートに印刷される付加メッセージの内容を変更することができるレシート印刷装置及び方法を提供することを目的とする。
【０００６】
具体的には、本発明は、レシートに印刷される付加メッセージの内容を時間帯毎に変更することができるレシート印刷装置及び方法を提供することを目的とする。
【課題を解決するための手段】
【０００７】
本発明によれば、レシートに付加メッセージを印刷することができるレシート印刷装置において、複数の時間帯に関連付けられた複数の付加メッセージ情報を記憶する記憶部と、現在時刻を検索キーとして前記記憶部を検索し、前記複数の時間帯のうち前記現在時刻が含まれる時間帯に関連付けられた付加メッセージ情報を読み出す検索手段とを備え、前記検索手段により読み出された付加メッセージ情報が表す内容を前記付加メッセージとして前記レシートに印刷するようにしたことを特徴とするレシート印刷装置が得られる。
【０００８】
また、本発明によれば、レシートに付加メッセージを印刷するレシート印刷方法において、予め複数の時間帯に関連付けられた複数の付加メッセージ情報を記憶部に記憶させておき、所定の処理を行った後に現在時刻を取得し、取得した現在時刻を検索キーとして前記記憶部を検索して、前記複数の時間帯のうち前記現在時刻が含まれる時間帯に関連付けられた付加メッセージ情報を読み出し、読み出した付加メッセージ情報が表す内容を前記付加メッセージとして前記レシートに印刷するようにしたことを特徴とするレシート印刷方法が得られる。
【発明の効果】
【０００９】
本発明によれば、複数の時間帯に関連付けられた複数の付加メッセージ情報を予め用意しておき、レシート印刷時の時刻（現在時刻）に応じて、その時刻を含む時間帯に関連づけられた付加メッセージ情報を選択してその内容をレシートに印刷するようにしたことで、時間帯毎に異なる付加メッセージのレシートへの印刷が可能になる。即ち、顧客の生活リズムを考慮した付加メッセージのレシートへの印刷が可能になる。
【発明を実施するための最良の形態】
【００１０】
以下、図面を参照して本発明を実施するための最良の形態について説明する。
【００１１】
図１に本発明の第１の実施の形態に係るレシート印刷装置の構成を示す。このレシート印刷装置は、電子金銭登録機に組み込まれ、その大部分を電子金銭登録機と共用する。換言すると、このレシート印刷装置は、電子金銭登録機の機能の一部として実現される。
【００１２】
図１のレシート印刷装置１０は、キーボードを含む入力部１１、プログラム制御により動作するデータ処理部１２、プログラムやデータなど種々の情報を記憶する記憶部１３、及びプリンタを含む出力部１４を備える。
【００１３】
記憶部１３は、金銭登録処理に必要となるプログラムやその処理に伴い発生するデータを記憶する。また、記憶部１３は、掲載メッセージファイル３１を記憶する。掲載メッセージファイル３１には、複数の掲載メッセージ情報（付加メッセージ情報）が、複数の時間帯に関連づけて格納されている。掲載メッセージ情報としては、アルバイト募集広告（待遇、勤務時間、連絡先等を含む）や販売促進メッセージ等の文字情報だけでなく、イラストや写真等の画像（イメージ）もある。
【００１４】
掲載メッセージファイル３１の構成例を図２に示す。図２の掲載メッセージファイル３１は、１日２４時間を４時間毎の６個の時間帯に分けた場合の例である。
【００１５】
データ処理部１２は、装置全体を制御する制御部２１と、時計部２２と、検索部２３とを含む。
【００１６】
検索部２３は、制御部２１の制御の下、入力部１１への入力操作に応じて記憶部１３の掲載メッセージファイル３１を検索し、その検索結果を出力部１４へ出力する。検索部２３は、掲載メッセージファイル３１を検索する際の検索キーとして、時計部２２から得た現在時刻を用いる。
【００１７】
次に、図１のレシート印刷装置の動作について、図３をも参照して説明する。
【００１８】
まず、顧客が購入する商品や金額等の情報が入力部１１から装置１０に入力（金銭登録）される（ステップＡ１）。
【００１９】
制御部２１は、入力部１１からの入力に基づいて、登録された情報の処理（会計処理）を行い（ステップＡ２）、処理結果を出力部１４へ出力する。また、制御部２１は、会計処理終了時に時計部２２から現在時刻を読み出し（ステップＡ３）、読み出した現在時刻を検索部２３へ通知する。
【００２０】
検索部２３は、制御部２１から通知された現在時刻を検索キーとして、記憶部１３の掲載メッセージファイル３１を検索し、現在時刻が含まれる時間帯に関連付けられた掲載メッセージ情報を読み出す（ステップＡ４）。例えば、現在時刻がＰＭ８：００を示しており、掲載メッセージファイル３１が図２のように構成されているとすると、検索部２３は、メッセージＮｏ．５に対応する掲載メッセージ情報を読み出す。検索部２３は、読み出した掲載メッセージ情報を出力部１４へ出力する。
【００２１】
出力部１４は、制御部２１から送られてくる処理結果を印字し（ステップＡ５）、続けて、検索部２３から送られてくる掲載メッセージ情報の内容を印字又は印刷する（ステップＡ６）。最後に、出力部１４は、レシートを発行する（ステップＡ７）。
【００２２】
以上のようにして、本実施の形態に係るレシート印刷装置では、時間帯毎に異なるメッセージをレシートに印刷することができ、顧客の生活リズムを考慮した情報を提供することが可能になる。例えば、コンビニエンスストア等に来店した顧客にとって、その来店時間前後は自由時間である可能性が高い。従って、アルバイトを必要とする時間帯と同じ時間帯に、掲載メッセージとしてアルバイト募集広告をレシートに印刷するようにすれば、高い広告効果が期待できる。また、複数の時間帯にわたってアルバイトを募集する場合であって、時間帯毎に待遇が異なる場合には、それぞれの時間帯に応じた待遇等の情報を印刷することもでき、より詳細で正確な情報を的確に提供することができる。
【００２３】
次に、図４乃至図７を参照して本発明の第２の実施の形態に係るレシート印刷装置について説明する。本実施の形態に係る装置の構成は、基本的に第１の実施の形態に係るレシート印刷装置と同じであるが、掲載メッセージファイル３１の構成と、それを検索する検索部２３の動作が異なる。
【００２４】
図４に、掲載メッセージファイル３１の構成例を示す。図４の掲載メッセージファイル３１には、時間帯だけでなく、性別及び年齢層に関連付けられた複数の掲載メッセージが格納されている。なお、図４において、性別欄及び年齢層欄に、記載されている数字は、例えば、図５及び図６にそれぞれ示されるように規定される。
【００２５】
次に、本実施の形態に係るレシート印刷装置の動作について説明する。
【００２６】
まず、金銭登録に先立ち、入力部１１に顧客の年齢層及び性別が入力される（ステップＢ１及びＢ２）。この入力は、入力部１１のキーボードから行われてもよいし、顧客に対して発行された磁気カード等の情報記録媒体から情報を読み出すカードリーダ等から行われてもよい。キーボードからの入力が容易に行えるように、キーボードに専用の（例えば、年齢と性別を一括入力できる）入力キーを設けてもよい。入力部１１に入力された顧客の年齢層及び性別は、制御部２１を介して検索部２３に与えられる。
【００２７】
続いて、顧客が購入する商品や金額等の情報が入力部１１から装置１０に入力（金銭登録）され（ステップＢ３）、制御部２１が、登録された情報の処理（会計処理）を行う（ステップＢ４）。そして、制御部２１は、処理結果を出力部１４へ出力する。
【００２８】
制御部２１は、会計処理を終えると、時計部２２から現在時刻を読み出し（ステップＢ５）、読み出した現在時刻を検索部２３へ通知する。
【００２９】
検索部２３は、制御部２１から通知された現在時刻と、先に与えられた顧客の年齢層及び性別を検索キーとして、記憶部１３の掲載メッセージファイル３１を検索し、現在時刻が含まれる時間帯と、顧客の性別及び年齢層とに関連付けられた掲載メッセージ情報を読み出し（ステップＢ６）、出力部１４へ出力する。
【００３０】
出力部１４は、制御部２１から送られてくる処理結果を印字し（ステップＢ７）、検索部２３から送られてくる掲載メッセージを印字して（ステップＢ８）、レシートを発行する（ステップＢ９）。
【００３１】
本実施の形態に係るレシート印刷装置においても、第１の実施の形態と同様、顧客の生活リズムを考慮した掲載メッセージのレシートへの印刷が可能である。しかも、本実施の形態では、顧客の性別や年齢層をも考慮した掲載メッセージのレシートへの印刷が可能であり、より高い広告効果が期待できる。
【００３２】
以上、本発明のレシート印刷装置について実施の形態に即して説明したが、本発明は、上述の実施の形態に限定されるものではない。例えば、掲載メッセージファイル３１は、より多くのあるいは少ない数の時間帯に掲載メッセージ情報を関連づけて構成されてもよい。また、掲載メッセージファイル３１は、印刷される掲載メッセージが、同一の時間帯であっても平日と休日とで異なるように、あるいは曜日毎に異なるように構成されてもよい。
【図面の簡単な説明】
【００３３】
【図１】本発明の第１の実施の形態に係るレシート印刷装置の構成を示すブロック図である。
【図２】図１のレシート印刷装置に含まれる記憶部に記憶される掲載メッセージファイルの構成例を示す図である。
【図３】図１のレシート印刷装置の動作を説明するためのフローチャートである。
【図４】本発明の第２の実施の形態に係るレシート印刷装置の記憶部に格納される掲載メッセージファイルの構成例を示す図である。
【図５】図４の掲載メッセージファイルに含まれる性別欄に使用される数字を説明するための図である。
【図６】図４の掲載メッセージファイルに含まれる年齢層欄に使用される数字を説明するための図である。
【図７】本発明の第２の実施の形態に係るレシート印刷装置の動作を説明するための図である。
【符号の説明】
【００３４】
１０    レシート印刷装置
１１    入力部
１２    データ処理部
１３    記憶部
１４    出力部
２１    制御部
２２    時計部
２３    検索部
３１    掲載メッセージファイル
【図１】
2005165484.tif 000003
【図２】
2005165484.tif 000004
【図３】
2005165484.tif 000005
【図４】
2005165484.tif 000006
【図５】
2005165484.tif 000007
【図６】
2005165484.tif 000008
【図７】
2005165484.tif 000009